(57)【要約】【課題】情報サービスシステム及びその方法を提供する。【解決手段】ログインステップが行われ、電子装置のカメラレンズでＱＲコードの読み取り、及び／又はウェブサイトのログインパスワード方式を利用し、ユーザーインターフェースが起動される。次に、拡張現実ＡＲの起動ステップが行われ、パターン読み取り、及び／又はウェブサイトへのログインを実行した後、３Ｄ動画を有する拡張現実ＡＲ画像が出現し、ユーザーが３Ｄ動画をクリックした後、３Ｄ動画を有する拡張現実ＡＲ画像にマルチメディアファイルが出現する。次いで、情報処理／伝送ステップが行われ、マルチメディアファイル中に元からある画像／テキストのコンテンツ以外に他の情報も追加可能であり、及び／又はマルチメディアファイルの背景に対して処理が行われ、及び／又はリアルタイム録画が行われ、処理済みのマルチメディアファイルがリアルタイム通信ソフトウェアにより伝送される。【選択図】図２
2020052792.tif 000002
【特許請求の範囲】
【請求項１】
拡張現実ＡＲ情報サービス環境中で応用される情報サービス方法であって、
ユーザーインターフェースが起動されように電子装置のカメラレンズでＱＲコードの読み取り、及び／又はウェブサイトへのログインパスワード方式を利用し、ユーザーが前記電子装置の前記カメラレンズを利用して前記ＱＲコードの読み取り、及び／又は前記ウェブサイトへのログインパスワードを実行した後に前記電子装置のスクリーン上にユーザーインターフェースが提供されるログインステップと、
パターン読み取り、及び／又はウェブサイトへのログインを実行した後に３Ｄ動画を有する拡張現実ＡＲ画像が出現し、前記ユーザーが３Ｄ動画をクリックした後に前記３Ｄ動画を有する前記拡張現実ＡＲ画像にマルチメディアファイルが出現する拡張現実ＡＲの起動ステップと、
前記マルチメディアファイル中に元からある画像／テキストのコンテンツ以外の情報が追加され、処理済みの前記マルチメディアファイルが前記電子装置にインストールされるリアルタイム通信ソフトウェアにより伝送される情報処理／伝送ステップと、を含み、
前記電子装置は、ｉＰｈｏｎｅ、Ａｎｄｒｏｉｄ携帯電話、タブレットコンピュータ、ｉＰａｄの内の１つであることを特徴とする情報サービス方法。
【請求項２】
追加される前記情報は、テキスト情報及び／又はイメージ及び／又は個人的な写真及び／又はビデオ映像であることを特徴とする請求項１に記載の情報サービス方法。
【請求項３】
追加される前記情報は、前記マルチメディアファイルの背景に対して処理を行うために用いられるものであることを特徴とする請求項１に記載の情報サービス方法。
【請求項４】
前記マルチメディアファイルとのインタラクティブなリアルタイム録画が行われることを特徴とする請求項１に記載の情報サービス方法。
【請求項５】
前記リアルタイム通信ソフトウェアは、ｅ-ｍａｉｌ、ＬＩＮＥ、ＳＭＳ、Ｆａｃｅｂｏｏｋ、ＩＧ、及びＹｏｕＴｕｂｅの内の少なくとも１つであることを特徴とする請求項１に記載の情報サービス方法。
【請求項６】
拡張現実ＡＲ情報サービス環境中で応用される情報サービスシステムであって、
データベースと、
情報サービスモジュールと、を含み、
前記情報サービスモジュールにおいて、ユーザーインターフェースが起動されるように電子装置のカメラレンズでＱＲコードの読み取り、及び／又はウェブサイトへのログインパスワード方式を利用し、ユーザーが前記電子装置の前記カメラレンズを利用して前記ＱＲコードの読み取り、及び／又は前記ウェブサイトのログインパスワードを実行した後、前記情報サービスモジュールが前記データベースと対応して、前記電子装置のスクリーン上にユーザーインターフェースが提供され、パターン読み取り、及び／又はウェブサイトへのログインを実行した後、前記情報サービスモジュールが前記データベースと対応して、前記電子装置の前記スクリーン上に３Ｄ動画を有する拡張現実ＡＲ画像が出現し、前記ユーザーが前記３Ｄ動画をクリックした後、前記３Ｄ動画を有する前記拡張現実ＡＲ画像にマルチメディアファイルが出現し、前記情報サービスモジュールが前記データベースと対応して、前記マルチメディアファイル中に元からある画像／テキストのコンテンツ以外の情報が追加され、処理済みの前記マルチメディアファイルが前記電子装置にインストールされるリアルタイム通信ソフトウェアにより伝送され、
前記電子装置は、ｉＰｈｏｎｅ、Ａｎｄｒｏｉｄ携帯電話、タブレットコンピュータ、ｉＰａｄの内の１つであることを特徴とする情報サービスシステム。
【請求項７】
追加される前記情報は、テキスト情報及び／又はイメージ及び／又は個人的な写真及び／又はビデオ映像であることを特徴とする請求項６に記載の情報サービスシステム。
【請求項８】
追加される前記情報は前記マルチメディアファイルの背景に対して処理を行うために用いられるものであることを特徴とする請求項６に記載の情報サービスシステム。
【請求項９】
前記マルチメディアファイルとのインタラクティブなリアルタイム録画が行われることを特徴とする請求項６に記載の情報サービスシステム。
【請求項１０】
前記リアルタイム通信ソフトウェアは、ｅ-ｍａｉｌ、ＬＩＮＥ、ＳＭＳ、Ｆａｃｅｂｏｏｋ、ＩＧ、及びＹｏｕＴｕｂｅの内の少なくとも１つであることを特徴とする請求項６に記載の情報サービスシステム。
【発明の詳細な説明】
【技術分野】
【０００１】
本発明は、情報サービスシステム及びその方法に関し、より詳しくは、拡張現実ＡＲ情報サービス環境中で応用される情報サービスシステム及びその方法に関し、すなわち、３Ｄ動画を有する拡張現実ＡＲ画像中にマルチメディアファイル（例えば、カード、創作品、映像作品等）を出現させ、前記マルチメディアファイル（例えば、カード、創作品、映像作品等）の情報に対して処理を行い、前記マルチメディアファイル（例えば、カード、創作品、映像作品等）中に元からある画像／テキストのコンテンツ以外のテキストメッセージ及び／又はイメージ及び／又は個人的な写真及び／又はビデオ映像を追加し、また、マルチメディアファイル（例えば、カード、創作品、映像作品等）の背景に対する処理及び／又はマルチメディアファイルとのインタラクティブなリアルタイム録画を行い、処理済みのマルチメディアファイル（例えば、カード、創作品、映像作品等）をリアルタイム通信ソフトウェアを利用して伝送させる情報サービスシステム及びその方法に関するものである。
【背景技術】
【０００２】
従来の拡張現実ＡＲのよくある応用としては、ユーザーが拡張現実ＡＲアプリを起動した後、携帯電話のカメラレンズの照準を実際の観光地や街並みに合わせるか読み取るかすると、携帯電話のスクリーン上に実際の観光地や街並みが表示される以外に、スクリーンの実際の観光地や街並み画面上にテキスト及び／又はイメージ及び／又はマルチメディアファイルが追加表示される。これが一般的な拡張現実ＡＲの応用である。
【０００３】
しかしながら、一般的には、ユーザーが拡張現実ＡＲアプリを使用する場合、テキスト及び／又はイメージ及び／又はマルチメディアファイルを有する拡張現実ＡＲ画像に対して他の操作を行えない。換言すれば、ユーザーが使用／取得可能な機能は閲覧機能のみであり、拡張現実ＡＲ画像上に追加されたテキスト及び／又はイメージ及び／又はマルチメディアファイルのみを閲覧できる。すなわち、テキスト及び／又はイメージ及び／又はマルチメディアファイルを有する拡張現実ＡＲ画像に対して、テキスト情報及び／又はイメージの追加、マルチメディアファイル（例えば、カード、創作品、映像作品等）の背景に対する処理、及び／又はマルチメディアファイル（例えば、カード、創作品、映像作品等）とのインタラクティブなリアルタイム録画、または処理済みのマルチメディアファイル（例えば、カード、創作品、映像作品等）をリアルタイム通信ソフトウェアを利用して伝送する等の操作を行えない。
【０００４】
台湾特許公告Ｉ６３３４６４号に係る「実物体に対応する映像の表示に用いられる処理方法及び電子装置」には、実物体に設置されるカメラにより撮影されたリアルタイム映像のキャプチャステップと、実物体の移動方向、実物体の速度、及び実物体の加速度の内の１つ以上を取得するステップと、表示装置に表示される第一イベントに対応するリアルタイム映像を制御することにより、実物体の移動方向、実物体の速度、及び実物体の加速度の内の１つ以上に基づいてトリガされる第一イベントに応答するステップとを含む、処理方法が記載されている。
【０００５】
また、台湾特許公告Ｉ６３３５００号に係る「拡張現実感応用生成システム及びその方法」には、映像信号がキャプチャされ、映像信号の画像または標記の識別及び追跡により画像や標記の位置情報が取得され、映像信号中のユーザーの姿勢の識別及び追跡により姿勢の種類情報または姿勢の位置情報が取得され、映像信号及び姿勢の種類情報または姿勢の位置情報を解析することで対応するヒューマンコンピュータインタラクション情報が生成され、ヒューマンコンピュータインタラクション情報に基づいて少なくとも１つのエディタを提供し、拡張現実で応用されるインタラクティブコンテンツの編集を行い、重畳方式により拡張現実で応用されるインタラクティブコンテンツが現実の映像上に表示されるステップを含む、拡張現実感応用生成システム及びその方法が記載されている。
【０００６】
なお、台湾実用新案公告Ｍ５６３６１３号に係る「複合現実を提供し３Ｄ物体を表示する鑑賞システム」には、情報送受信インターフェースと、保存モジュールと、３Ｄモデリングモジュールと、処理モジュールとを含む。情報送受信インターフェースはヘッドマウント型複合現実装置に情報が接続され、本考案の鑑賞システムがヘッドマウント型複合現実装置に提供する現実世界のデジタル視野情報環境で複合現実の３Ｄ建物の立体映像が重ねられる。また、ヘッドマウント型複合現実装置を装着したユーザーはフローティングタッチ方式により前記複合現実の３Ｄ建物の立体映像の制御を行い、且つ前記３Ｄ建物の立体映像にタッチした後にはインタラクティブウィンドウにフィードバックが返され、複合現実環境でもインタラクティブな鑑賞を達成させる、複合現実を提供し３Ｄ物体を表示する鑑賞システムが記載されている。
【０００７】
また、台湾特許公告Ｉ６２８６１３号に係る「拡張現実方法及びその方法」には、実体空間の全ての実物体を撮影し、これら前記実物体の各詳細情報を獲得するステップと、これら実物体の各実体座標を生成するステップと、前記実体空間の立体地図を構築するステップと、前記実体空間に対応するＡＲの配置を見い出すステップと、前記ＡＲの配置の中の複数のＡＲオブジェクトの各ＡＲ仮想座標を前記実体空間中におけるこれら前記ＡＲオブジェクトの各実体座標に変換させるステップと、ＡＲの配置エラーが発生しているか否かの判断を下すステップと、ＡＲの配置エラーが発生した場合、ＡＲの配置エラーを引き起こしているこれら前記ＡＲオブジェクトの少なくとも１つの第一ＡＲオブジェクトに対して前記第一ＡＲオブジェクトの第一ＡＲ仮想座標の調整を行うステップと、ＡＲの表示を行うステップとを含む、拡張現実ＡＲに係る方法が記載されている。
【０００８】
また、台湾特許公告Ｉ６１８９４７号に係る「表示装置」には、特にヘッドマウント型表示器や接眼レンズは空間調光器（２００）及び空間調光器（２００）の区画に多重結像を生成するために用いられる光偏向装置（４００）を有する。多重結像は予め与えられた多重結像区画を少なくとも有する数量方式で実行され、前記数量により可視範囲の大きさが決められ、前記可視範囲内で観察者の目（１０００）で観察する空間調光器内で全画像がエンコードされる３Ｄ画像が再構築される、表示装置が記載されている。
【０００９】
さらに、台湾特許公告Ｉ５９０１８９号に係る「拡張現実方法、システム及びコンピュータ可読な一時的記憶媒体」には、現実環境に関する仮想配置空間を選択するステップと、少なくとも１つの仮想オブジェクトを前記仮想配置空間中の仮想設置位置に配置するステップと、座標システムの初期化及び補正を行うステップと、前記補正された座標システム中に拡張現実を表示するステップとを含む、拡張現実方法が記載されている。
【発明の概要】
【発明が解決しようとする課題】
【００１０】
以上のとおり、ユーザーがテキスト及び／又はイメージ及び／又はマルチメディアファイルを有する拡張現実ＡＲ画像に対して使用／取得可能な機能は閲覧機能に限られ、テキスト及び／又はイメージ及び／又はマルチメディアファイルを有する拡張現実ＡＲ画像に対して、テキスト情報及び／又はイメージの追加、マルチメディアファイル（例えば、カード、創作品、映像作品等）の背景に対する処理、及び／又はマルチメディアファイル（例えば、カード、創作品、映像作品等）とのインタラクティブなリアルタイム録画、又は処理済みのマルチメディアファイル（例えば、カード、創作品、映像作品等）をリアルタイム通信ソフトウェアにより伝送させる等の操作を行えないという様々な問題を解決することが求められている。
【課題を解決するための手段】
【００１１】
本発明は上記問題に鑑みてなされたもので、本発明の1つの目的は、情報サービスシステム及びその方法を提供することにある。すなわち、拡張現実ＡＲ情報サービス環境中で応用され、本発明に係る情報サービスシステムを利用して情報サービス方法を実行する場合、まず、ログインステップが行われ、電子装置のカメラレンズでＱＲコードの読み取り、及び／又はウェブサイトのログインパスワード（pin number）方式を利用し、ユーザーインターフェースが起動される。次に、拡張現実ＡＲの起動ステップが行われ、パターン読み取り後、３Ｄ動画を有する拡張現実ＡＲ画像が出現し、ユーザーが３Ｄ動画をクリックした後、３Ｄ動画を有する拡張現実ＡＲ画像にカード、創作品、映像作品等のマルチメディアファイルが出現する。次いで、情報処理／伝送ステップが行われ、マルチメディアファイル（例えば、カード、創作品、映像作品等）中に元からある画像／テキストのコンテンツ以外にテキスト情報及び／又はイメージ及び／又は個人的な写真及び／又はビデオ映像が追加され、及び／又はマルチメディアファイル（例えば、カード、創作品、映像作品等）の背景に対して処理が行われ、及び／又はマルチメディアファイルとのインタラクティブなリアルタイム録画が行われ、処理済みのマルチメディアファイル（例えば、カード、創作品、映像作品等）がリアルタイム通信ソフトウェアにより伝送される。
【００１２】
本発明の他の目的は、情報サービスシステム及びその方法を提供することにある。すなわち、拡張現実ＡＲ情報サービス環境中で応用され、ユーザーがテキスト及び／又はイメージ及び／又はマルチメディアファイルを有する拡張現実ＡＲ画像に対して閲覧機能以外にも、テキスト情報及び／又はイメージ及び／又は個人的な写真及び／又はビデオ映像の追加、マルチメディアファイル（例えば、カード、創作品、映像作品等）の背景に対する処理及び／又はマルチメディアファイル（例えば、カード、創作品、映像作品等）とのインタラクティブなリアルタイム録画、又は処理済みのマルチメディアファイル（例えば、カード、創作品、映像作品等）をリアルタイム通信ソフトウェアにより伝送する等の操作を実行可能にする。
【００１３】
上述の目的を達成するために、本発明に係る情報サービスシステムは、情報サービスモジュール及びデータベースを少なくとも含む。その詳細については以下に説明する。
【００１４】
まず、情報サービスモジュールについて説明する。前記情報サービスモジュールにはデータベースが対応して動作する。ユーザーは電子装置のカメラレンズでＱＲコードの読み取り、及び／又はウェブサイトのログインパスワード（pin number）方式を実行した後、前記情報サービスモジュールがデータベースと対応して、電子装置のスクリーン上にユーザーインターフェースが提供される。例えば、電子装置のカメラレンズでＱＲコードの読み取り、及び／又はウェブサイトへのログインを実行した後、前記情報サービスモジュールがデータベースと対応して、電子装置のスクリーン上に３Ｄ動画を有する拡張現実ＡＲ画像の第一画面が提供され、ユーザーが３Ｄ動画をクリックした後に前記３Ｄ動画を有する前記拡張現実ＡＲ画像にマルチメディアファイル（例えば、カード、創作品、映像作品等）が出現する。前記情報サービスモジュールがデータベースと対応して、電子装置のスクリーン上に第二画面が提供され、前記第二画面の前記マルチメディアファイル中に元からある画像／テキストのコンテンツ以外にユーザーがテキスト情報及び／又はイメージ及び／又は個人的な写真及び／又はビデオ映像を追加でき、及び／又はユーザーがマルチメディアファイル（例えば、カード、創作品、映像作品等）の背景に対して処理を実行可能になり、及び／又はマルチメディアファイル（例えば、カード、創作品、映像作品等）とのインタラクティブなリアルタイム録画が実行可能になり、処理済みのマルチメディアファイル（例えば、カード、創作品、映像作品等）を有する第二画面が前記情報サービスモジュールによる処理を経てデータベースに対応してれ、電子装置にインストールされるｅ-ｍａｉｌ、ＬＩＮＥ、ＳＭＳ、Ｆａｃｅｂｏｏｋ、ＩＧ、ＹｏｕＴｕｂｅ等のリアルタイム通信ソフトウェアにより伝送される。
【００１５】
次に、データベースについて説明する。前記データベースには情報サービスモジュールの動作に必要なデータが保存される。
【００１６】
本発明に係る情報サービスシステムを利用して情報サービス方法を実行する場合、まず、ログインステップが行われ、電子装置のカメラレンズでＱＲコードの読み取り、及び／又はウェブサイトのログインパスワード（pin number）方式を利用し、ユーザーインターフェースが起動される。ユーザーが電子装置のカメラレンズを利用してＱＲコードの読み取り、及び／又はウェブサイトへのログインを実行後、前記情報サービスモジュールがデータベースと対応して、電子装置のスクリーン上にユーザーインターフェースが提供される。
【００１７】
次に、拡張現実ＡＲの起動ステップが行われ、パターン読み取り、及び／又はウェブサイトへのログイン後に３Ｄ動画を有する拡張現実ＡＲ画像が出現する。ユーザーが３Ｄ動画をクリックした後に前記３Ｄ動画を有する前記拡張現実ＡＲ画像にマルチメディアファイル（例えば、カード、創作品、映像作品等）が出現する。電子装置を利用してパターン読み取り、及び／又はウェブサイトへのログイン後に前記情報サービスモジュールがデータベースと対応して、電子装置のスクリーン上に３Ｄ動画を有する拡張現実ＡＲ画像の第一画面が提供される。ユーザーが３Ｄ動画をクリックした後、前記３Ｄ動画を有する前記拡張現実ＡＲ画像にマルチメディアファイル（例えば、カード、創作品、映像作品等）が出現する。
【００１８】
次いで、情報処理／伝送ステップが行われ、前記マルチメディアファイル（例えば、カード、創作品、映像作品等）中に元からある画像／テキストのコンテンツ以外にテキスト情報及び／又はイメージ及び／又は個人的な写真及び／又はビデオ映像が追加され、及び／又はマルチメディアファイル（例えば、カード、創作品、映像作品等）の背景に対する処理が行われ、及び／又はマルチメディアファイル（例えば、カード、創作品、映像作品等）とのインタラクティブなリアルタイム録画が実行され、処理済みのマルチメディアファイル（例えば、カード、創作品、映像作品等）がリアルタイム通信ソフトウェアにより伝送される。前記情報サービスモジュールは前記データベースと対応して、電子装置のスクリーン上に第二画面が提供される。前記第二画面の前記マルチメディアファイル（例えば、カード、創作品、映像作品等）中に元からある画像／テキストのコンテンツ以外にユーザーがテキスト情報及び／又はイメージ及び／又は個人的な写真及び／又はビデオ映像を追加し、及び／又はユーザーがマルチメディアファイル（例えば、カード、創作品、映像作品等）の背景に対する処理を行い、及び／又はマルチメディアファイル（例えば、カード、創作品、映像作品等）とのインタラクティブなリアルタイム録画を実行し、処理済みのマルチメディアファイル（例えば、カード、創作品、映像作品等）を有する第二画面が前記情報サービスモジュールによる処理を経てデータベースと対応して、電子装置にインストールされるｅ-ｍａｉｌ、ＬＩＮＥ、ＳＭＳ、Ｆａｃｅｂｏｏｋ、ＩＧ、ＹｏｕＴｕｂｅ等のリアルタイム通信ソフトウェアにより伝送される。
【発明の効果】
【００１９】
本発明によれば、拡張現実ＡＲ情報サービス環境中で応用され、ユーザーがテキスト及び／或いは又はイメージ及び／或いは又はマルチメディアファイルを有する拡張現実ＡＲ画像に対して閲覧機能以外にも、テキスト情報及び／或いは又はイメージ及び／或いは又は個人的な写真及び／或いは又はビデオ映像の追加、マルチメディアファイル（例えば、カード、創作品、映像作品等）の背景に対する処理及び／或いは又はマルチメディアファイル（例えば、カード、創作品、映像作品等）とのインタラクティブなリアルタイム録画、或いは又は処理済みのマルチメディアファイル（例えば、カード、創作品、映像作品等）をリアルタイム通信ソフトウェアにより伝送する等の操作を実行可能にする。
【図面の簡単な説明】
【００２０】
【図１】本発明の情報サービスシステムのシステム構成及びその操作状況を説明する概略図である。
【図２】図１のような本発明の情報サービスシステムを使用し、情報サービスを行うフローチャートのステップを説明するフローチャートである。
【図３】本発明の情報サービスシステムの実施の形態及びその操作状況を説明する概略図である。
【図４】図３のような本発明の情報サービスシステムの実施の形態を使用し、情報サービス方法を行うフローチャートのステップを説明するフローチャートである。
【図５】本発明の情報サービスシステムの他の実施の形態及びその操作状況を説明する概略図である。
【図６】図５のような本発明の情報サービスシステムの他の実施の形態を使用し、情報サービス方法を行う他のフローチャートのステップを説明するフローチャートである。
【発明を実施するための形態】
【００２１】
以下、本発明の実施の形態について図面を用いて説明する。なお、本発明は、下記の実施の形態に何ら限定されることはなく、本発明の技術的範囲に属する限り種々の形態を採りうる。
【００２２】
図１は本発明の情報サービスシステムのシステム構成及びその操作状況を説明する概略図である。図１に示されるように、情報サービスシステム１は情報サービスモジュール２及びデータベース３を少なくとも含む。
【００２３】
ここでは、情報サービスシステム１は電子装置中にあり、前記電子装置はｉＰｈｏｎｅ（商品名）、Ａｎｄｒｏｉｄ（商品名）携帯電話、タブレットコンピュータ、ｉＰａｄ（商品名）の内の１つである。情報サービスモジュール２はハードウェア、ソフトウェア、及びファームウェアの内の少なくとも１つにより構成される。
【００２４】
情報サービスモジュール２はデータベース３と対応して動作する。ユーザーが電子装置のカメラレンズを利用してＱＲコードの読み取り、及び／又はウェブサイトのログインパスワード（pin number）方式を実行後、前記情報サービスモジュール２がデータベース３と対応して、電子装置のスクリーン上にユーザーインターフェースが提供される。例えば、電子装置のカメラレンズでＱＲコードの読み取り、及び／又はウェブサイトへのログイン後に前記情報サービスモジュール２がデータベース３と対応して、電子装置のスクリーン上に３Ｄ動画を有する拡張現実ＡＲ画像の第一画面が提供され、ユーザーが３Ｄ動画をクリックした後に前記３Ｄ動画を有する前記拡張現実ＡＲ画像にマルチメディアファイル（例えば、カード、創作品、映像作品等）が出現する。情報サービスモジュール２がデータベース３と対応して、電子装置のスクリーン上に第二画面が提供され、前記第二画面のマルチメディアファイル中に元からある画像／テキストのコンテンツ以外にユーザーがテキスト情報及び／又はイメージ及び／又は個人的な写真及び／又はビデオ映像を追加可能になり、及び／又はユーザーがマルチメディアファイル（例えば、カード、創作品、映像作品等）の背景に対する処理が可能になり、及び／又はマルチメディアファイル（例えば、カード、創作品、映像作品等）とのインタラクティブなリアルタイム録画が実行可能になり、処理済みのマルチメディアファイル（例えば、カード、創作品、映像作品等）を有する第二画面が情報サービスモジュール２による処理を経てデータベース３と対応して、電子装置にインストールされるｅ-ｍａｉｌ、ＬＩＮＥ、ＳＭＳ、Ｆａｃｅｂｏｏｋ、ＩＧ、ＹｏｕＴｕｂｅ等のリアルタイム通信ソフトウェアにより伝送される。
【００２５】
データベース３には情報サービスモジュール２の動作に必要なデータが保存され、例えば、ユーザーインターフェースのデータや３Ｄ動画を有する拡張現実ＡＲ画像の第一画面のデータ、３Ｄ動画を有する拡張現実ＡＲ画像にマルチメディアファイル（例えば、カード、創作品、映像作品等）を出現させるためのデータ、第二画面のデータ、前記第二画面中のマルチメディアファイル（例えば、カード、創作品、映像作品等）に元からある画像／テキストのコンテンツのデータ以外にユーザーが追加したテキスト情報及び／又はイメージ及び／又は個人的な写真及び／又はビデオ映像のデータ、及び／又はユーザーが行うマルチメディアファイル（例えば、カード、創作品、映像作品等）の背景に対する処理のデータ、及び／又はマルチメディアファイル（例えば、カード、創作品、映像作品等）とのインタラクティブなリアルタイム録画のデータ等が保存される。
【００２６】
本発明を実際に実行する場合、マルチメディアファイルはカード、創作品、映像作品等である。本発明に係る前記マルチメディアファイルはカードに限定されず、あらゆる形式のマルチメディアファイルが使用可能である。第一画面及び第二画面が電子装置のスクリーン上にそれぞれ表示されるか、両者の画面が同じとなって電子装置スクリーン上に表示される。これは実際の実行状況によって決定される。
【００２７】
情報サービスモジュール２は電子ハードウェア、ファームウェア、及びソフトウェアの内の少なくとも１つで構成され、情報サービスシステム１の所在であるｉＰｈｏｎｅやＡｎｄｒｏｉｄ携帯電話等の電子装置の処理装置（図示せず）と対応して動作する。又は、情報サービスシステム１の所在であるタブレットコンピュータ、ｉＰａｄの内の１つの処理装置（図示せず）と対応して動作する。データベース３はスマートフォン、ｉＰｈｏｎｅ携帯電話、タブレットコンピュータ、ｉＰａｄの内の１つの保存モジュール（図示せず）にあり、前記保存モジュールは携帯電話のメモリーモジュール、ｉＰｈｏｎｅ携帯電話のメモリーモジュール、タブレットコンピュータのメモリーモジュール、及びｉＰａｄのメモリーモジュールの内の１つである。
【００２８】
また、実際に実行する場合、ユーザーが操作する電子装置はスマートフォン、ｉＰｈｏｎｅ携帯電話、タブレットコンピュータ、ｉＰａｄの内の１つであり、情報サービスシステムはスマートフォン、ｉＰｈｏｎｅ携帯電話、タブレットコンピュータ、ｉＰａｄの内の１つである。よって、第一画面及び第二画面はスマートフォンのアプリのインターフェース、ｉＰｈｏｎｅ携帯電話のアプリのインターフェース、タブレットコンピュータのアプリのインターフェース、ｉＰａｄのアプリのインターフェースの内の１つである。
【００２９】
図２は図１のような本発明の情報サービスシステムを使用し、情報サービスを行うフローチャートのステップを説明するフローチャートである。図２に示されるように、まず、ステップ１０１においてログインステップが行われ、電子装置のカメラレンズでＱＲコードの読み取り、及び／又はウェブサイトのログインパスワード（pin number）方式を利用し、ユーザーインターフェースが起動される。ユーザーが電子装置のカメラレンズを利用してＱＲコードの読み取り及び／又はウェブサイトへのログインを実行後、前記情報サービスモジュール２がデータベース３と対応して、電子装置のスクリーン上にユーザーインターフェースが提供され、ステップ１０２へと進む。
【００３０】
ステップ１０２においては、拡張現実ＡＲの起動ステップが行われ、パターン読み取り、及び／又はウェブサイトへのログイン後、３Ｄ動画を有する拡張現実ＡＲ画像が出現し、ユーザーが３Ｄ動画をクリックした後に前記３Ｄ動画を有する前記拡張現実ＡＲ画像にマルチメディアファイル（例えば、カード、創作品、映像作品等）が出現する。電子装置でパターン読み取り、及び／又はウェブサイトへのログイン後、情報サービスモジュール２がデータベース３と対応して、電子装置のスクリーン上に３Ｄ動画を有する拡張現実ＡＲ画像の第一画面が提供され、ユーザーが３Ｄ動画をクリックした後に前記３Ｄ動画を有する前記拡張現実ＡＲ画像にマルチメディアファイル（例えば、カード、創作品、映像作品等）が出現し、ステップ１０３へと進む。
【００３１】
ステップ１０３においては、情報処理／伝送ステップが行われ、前記マルチメディアファイル（例えば、カード、創作品、映像作品等）中に元からある画像／テキストのコンテンツ以外にテキスト情報及び／又はイメージ及び／又は個人的な写真及び／又はビデオ映像が追加され、及び／又はマルチメディアファイル（例えば、カード、創作品、映像作品等）の背景に対する処理が行われ、及び／又はマルチメディアファイル（例えば、カード、創作品、映像作品等）とのインタラクティブなリアルタイム録画が実行され、処理済みのマルチメディアファイル（例えば、カード、創作品、映像作品等）がリアルタイム通信ソフトウェアにより伝送される。前記情報サービスモジュール２は前記データベース３と対応して、電子装置のスクリーン上に第二画面が提供される。前記第二画面の前記マルチメディアファイル（例えば、カード、創作品、映像作品等）中に元からある画像／テキストのコンテンツ以外にユーザーがテキスト情報及び／又はイメージ及び／又は個人的な写真及び／又はビデオ映像を追加し、及び／又はユーザーがマルチメディアファイル（例えば、カード、創作品、映像作品等）の背景に対する処理を行い、及び／又はマルチメディアファイル（例えば、カード、創作品、映像作品等）とのインタラクティブなリアルタイム録画を実行し、処理済みのマルチメディアファイル（例えば、カード、創作品、映像作品等）を有する第二画面が情報サービスモジュール２の処理を経てデータベース３と対応して、電子装置にインストールされるｅ-ｍａｉｌ、ＬＩＮＥ、ＳＭＳ、Ｆａｃｅｂｏｏｋ、ＩＧ、ＹｏｕＴｕｂｅ等のリアルタイム通信ソフトウェアにより伝送される。
【００３２】
図３は本発明の情報サービスシステムの実施の形態及びその操作状況を説明する概略図である。図３に示されるように、情報サービスシステム１は情報サービスモジュール２及びデータベース３を少なくとも含む。
【００３３】
ここでは、情報サービスシステム１は携帯電話４中にあり、情報サービスモジュール２はハードウェア、ソフトウェア、及びファームウェアの内の少なくとも１つで構成される。
【００３４】
情報サービスモジュール２はデータベース３と対応して動作する。ユーザー９が携帯電話４のカメラレンズを利用してＱＲコードを読み取った後、情報サービスモジュール２がデータベース３と対応して、携帯電話４のスクリーン４１上にユーザーインターフェース５１が提供される。携帯電話４を利用してパターンを読み取った後、情報サービスモジュール２がデータベース３と対応して、携帯電話４のスクリーン４１上に３Ｄ動画６１１を有する拡張現実ＡＲ画像６１０の第一画面６１が提供され、ユーザー９が３Ｄ動画６１１をクリックした後に３Ｄ動画６１１を有する拡張現実ＡＲ画像６１０にカード６１２が出現する。情報サービスモジュール２がデータベース３と対応して、携帯電話４のスクリーン４１上に第二画面７１が提供され、第二画面７１のカード６１２中に元からある画像／テキストのコンテンツ以外にユーザーによりテキストボックスにテキスト情報６１２１が追加され、及び／又はリアルタイム写真またはギャラリー中から選出されたイメージ及び／又は個人的な写真及び／又はビデオ映像の情報６１２２が追加され、及び／又はユーザー９がカード６１２の背景６１３に対する処理を行い、リアルタイム写真またはギャラリー中から選出されたイメージが追加され、及び／又は第二画面７１下方のカメラアイコンｉｃｏｎ７１１がクリックされると、リアルタイムで全第二画面７１及び背景６１３が撮影され、且つ携帯電話４にインストールされるｅ-ｍａｉｌ、ＬＩＮＥ、ＳＭＳ、Ｆａｃｅｂｏｏｋ、ＩＧ、ＹｏｕＴｕｂｅ等のリアルタイム通信ソフトウェアにより伝送される。
【００３５】
次に、データベース３には、情報サービスモジュール２の動作に必要なデータが保存され、例えば、ユーザーインターフェース５１のデータ、３Ｄ動画６１１を有する拡張現実ＡＲ画像６１０の第一画面６１のデータ、３Ｄ動画６１１を有する拡張現実ＡＲ画像６１０をカード６１２に出現させるためのデータ、第二画面７１のデータ、第二画面７１のカード６１２に元からある画像／テキストのコンテンツのデータ以外にユーザーにより追加されたテキスト情報６１２１及び／又は追加されたリアルタイム写真またはギャラリー中から選択されイメージ及び／又は個人的な写真及び／又はビデオ映像の情報６１２２のデータ、及び／又はユーザーのカードの背景６１３に対して行う処理のデータ等が保存される。
【００３６】
本実施の形態では、ＱＲコードの読み取り後、情報サービスモジュール２がデータベース３と対応して、携帯電話４である電子装置のスクリーン上にユーザーインターフェースが提供される。本実施の形態で述べるものとウェブサイトのログインパスワード（pin number）方式とは同様であるため、ここでは再述しない。また、マルチメディアファイルは、例えばカードであるが、本発明のマルチメディアファイルはカード形式に限られず、あらゆる形式のマルチメディアファイルでもよく、例えば創作品や映像作品等でもよく、本実施の形態で述べるものも同様であるため、ここでは再述しない。また、本実施の形態を実際に実行する場合、第一画面６１及び第二画面７１が携帯電話４のスクリーン４１上にそれぞれ表示されるか、両者の画面が同じとなって携帯電話４のスクリーン４１上に表示される。これは実際の実行状況により決められる。
【００３７】
なお、実際の状況に応じて、情報サービスシステム１がｉＰｈｏｎｅまたはＡｎｄｒｏｉｄ携帯電話の携帯電話４にある以外に、 タブレットコンピュータ、ｉＰａｄの内の１つにある。
【００３８】
情報サービスモジュール２は電子ハードウェア、ファームウェア、及びソフトウェアの内の少なくとも１つで構成され、情報サービスシステム１の所在である携帯電話４の処理装置（図示せず）と対応して動作するか、情報サービスシステム１の所在であるタブレットコンピュータ、ｉＰａｄの内の１つの処理装置（図示せず）と対応して動作する。データベース３はＡｎｄｒｏｉｄ携帯電話、ｉＰｈｏｎｅ携帯電話、タブレットコンピュータ、ｉＰａｄの内の１つの保存モジュール（図示せず）にあり、前記保存モジュールは携帯電話のメモリーモジュール、ｉＰｈｏｎｅ携帯電話のメモリーモジュール、タブレットコンピュータのメモリーモジュール、及びｉＰａｄのメモリーモジュールの内の１つである。
【００３９】
また、実際に実行する場合、ユーザー９により操作される電子装置はスマートフォン、ｉＰｈｏｎｅ携帯電話、タブレットコンピュータ、ｉＰａｄの内の１つであり、及び／又は情報サービスシステム１はスマートフォン、ｉＰｈｏｎｅ携帯電話、タブレットコンピュータ、ｉＰａｄの内の１つにある。よって、第一画面６１及び第二画面７１はスマートフォンのアプリのインターフェース、ｉＰｈｏｎｅ携帯電話のアプリのインターフェース、タブレットコンピュータのアプリのインターフェース、ｉＰａｄのアプリのインターフェースの内の１つである。
【００４０】
図４は図３のような本発明の情報サービスシステムの実施の形態を使用し、情報サービス方法を行うフローチャートのステップを説明するフローチャートである。図４に示されるように、まず、ステップ２０１においてログインステップが行われ、携帯電話４のカメラレンズでＱＲコードが読み取りられてユーザーインターフェースが起動する。ユーザー９が携帯電話４のカメラレンズを利用してＱＲコードを読み取った後、情報サービスモジュール２がデータベース３と対応して、携帯電話４のスクリーン４１上にユーザーインターフェース５１が提供され、ステップ２０２へと進む。
【００４１】
ステップ２０２においては、拡張現実ＡＲの起動ステップが行われ、パターンが読み取られた後、３Ｄ動画６１１を有する拡張現実ＡＲ画像６１０が出現し、ユーザーが３Ｄ動画６１１をクリックした後に３Ｄ動画６１１を有する拡張現実ＡＲ画像６１０にカード６１２が出現する。携帯電話４でパターンが読み取られた後、情報サービスモジュール２がデータベース３と対応して、携帯電話４のスクリーン４１上に３Ｄ動画６１１を有する拡張現実ＡＲ画像６１０の第一画面６１が提供され、ユーザーが３Ｄ動画６１１をクリックした後に３Ｄ動画６１１を有する拡張現実ＡＲ画像６１０にカード６１２が出現し、ステップ２０３へと進む。
【００４２】
ステップ２０３においては、情報処理／伝送ステップが行われる。情報サービスモジュール２がデータベース３と対応して、携帯電話４のスクリーン４１上に第二画面７１が提供され、第二画面７１のカード６１２中に元からある画像／テキストのコンテンツ以外にユーザーがテキストボックスにテキスト情報６１２１を追加し、及び／又はリアルタイム写真またはギャラリーから選出されたイメージ及び／又は個人的な写真及び／又はビデオ映像の情報６１２２を追加させ、及び／又はユーザー９がカード６１２の背景６１３に対して処理を行い、リアルタイム写真やギャラリーから選出されたイメージを追加し、及び／又は第二画面７１下方のカメラアイコンｉｃｏｎ７１１をクリックしてリアルタイムで全第二画面７１及び背景６１３を撮影し、且つ携帯電話４にインストールされるｅ-ｍａｉｌ、ＬＩＮＥ、ＳＭＳ、Ｆａｃｅｂｏｏｋ、ＩＧ、ＹｏｕＴｕｂｅ等のリアルタイム通信ソフトウェアにより伝送させる。
【００４３】
本実施の形態では、ＱＲコードの読み取り後、前記情報サービスモジュール２がデータベース３と対応して、携帯電話４である電子装置のスクリーン上にユーザーインターフェースが提供される。ウェブサイトのログインパスワード（pin number）方式は本実施の形態で述べるのと同様であるため、ここでは再述しない。また、マルチメディアファイルは、例えばカードであるが、本発明に係る前記マルチメディアファイルはカードに限定されず、あらゆる形式のマルチメディアファイルでもよく、例えば、創作品や映像作品等でもよい。これは本実施の形態で述べるものと同様であるため、ここでは再述しない。また、本実施の形態を実際に実行する場合、第一画面６１及び第二画面７１が携帯電話４のスクリーン４１上にそれぞれ表示されるか、両者の画面が同じとなって携帯電話４のスクリーン４１上に表示される。これは実際の実行状況に応じて決定する。
【００４４】
図５は本発明の情報サービスシステムの他の実施の形態及びその操作状況を説明する概略図である。図５に示されるように、情報サービスシステム１は情報サービスモジュール２及びデータベース３を少なくとも含む。ここでは、情報サービスシステム１は携帯電話４にあり、情報サービスモジュール２はハードウェア、ソフトウェア、及びファームウェアの内の少なくとも１つで構成される。
【００４５】
まず、情報サービスモジュール２について説明する。前記情報サービスモジュール２はデータベース３と対応して動作する。。ユーザー９が携帯電話４のカメラレンズを利用してＱＲコードを読み取った後、情報サービスモジュール２がデータベース３と対応して、携帯電話４のスクリーン４１上にユーザーインターフェース５２が提供される。携帯電話４でパターン読み取り後、情報サービスモジュール２がデータベース３と対応して、携帯電話４のスクリーン４１上に３Ｄ動画６２１を有する拡張現実ＡＲ画像６２０の第一画面６２が提供され、ユーザー９が３Ｄ動画６２１をクリックした後に３Ｄ動画６２１を有する拡張現実ＡＲ画像６２０にカード６２２が出現する。情報サービスモジュール２がデータベース３と対応して、携帯電話４のスクリーン４１上に第二画面７２が提供され、第二画面７２のカード６２２中に元からある画像／テキストのコンテンツ以外にユーザーがテキストボックスにテキスト情報６２２１を追加し、及び／又はリアルタイム写真やギャラリーから選出されたイメージ及び／又は個人的な写真及び／又はビデオ映像の情報６２２２を追加し、及び／又はユーザー９がカード６２２の背景６２３に対して処理を行い、リアルタイム写真やギャラリーから選出されたイメージを追加し、及び／又は第二画面７２下方のカメラアイコンｉｃｏｎ７２１をクリックすることでリアルタイムで全第二画面７２及び背景６２３が撮影され、及び／又は第二画面７２下方のビデオアイコンｉｃｏｎ７２２をクリックすることでカード６２２とのインタラクティブなリアルタイム録画が実行され、処理済みのカード６２２を有する第二画面７２が前記情報サービスモジュール２による処理を経てデータベース３と対応して、携帯電話４にインストールされるｅ-ｍａｉｌ、ＬＩＮＥ、ＳＭＳ、Ｆａｃｅｂｏｏｋ、ＩＧ、ＹｏｕＴｕｂｅ等のリアルタイム通信ソフトウェアにより伝送される。
【００４６】
次いで、データベース３には、情報サービスモジュール２の動作に必要なデータが保存され、例えば、ユーザーインターフェース５２のデータ、３Ｄ動画６２１を有する拡張現実ＡＲ画像６２０の第一画面６２のデータ、３Ｄ動画６２１を有する拡張現実ＡＲ画像６２０に出現するカード６２２のデータ、第二画面７２のデータ、第二画面７２のカード６２２に元からある画像／テキストのコンテンツのデータ以外にユーザーにより追加されたテキスト情報６２２１及び／又は追加されるリアルタイム写真やギャラリーから選出されたイメージ及び／又は個人的な写真及び／又はビデオ映像の情報６２２２のデータ、及び／又はユーザーがカードの背景６２３に対して処理を行い、カード６２２とのインタラクティブなリアルタイム録画を実行するためのデータ等が保存される。
【００４７】
本実施の形態においては、ＱＲコードの読み取り後に前記情報サービスモジュール２がデータベース３と対応して、携帯電話４である電子装置のスクリーン上にユーザーインターフェースが提供される。ウェブサイトのログインパスワード（pin number）方式については、本実施の形態で述べるものと同様であるため、ここでは再述しない。また、マルチメディアファイルは、例えばカードであるが、本発明に係る前記マルチメディアファイルはカードに限られず、あらゆる形式のマルチメディアファイルが利用可能であり、例えば、創作品や映像作品等でもよい。これは本実施の形態で述べるものと同様であるため、ここでは再述しない。また、本実施の形態を実際に実行する場合、第一画面６２及び第二画面７２が携帯電話４のスクリーン４１上にそれぞれ表示されるか、両者の画面が同じとなって携帯電話４のスクリーン４１上に表示される。これは実際の実行状況に応じて決められる。
【００４８】
また、実際の状況に応じて、情報サービスシステム１がｉＰｈｏｎｅまたはＡｎｄｒｏｉｄ携帯電話である携帯電話４にある以外、タブレットコンピュータ、ｉＰａｄの内の１つにあってもよい。
【００４９】
情報サービスモジュール２は電子ハードウェア、ファームウェア、及びソフトウェアの内の少なくとも１つで構成され、情報サービスシステム１の所在である携帯電話４の処理装置（図示せず）と対応して動作する。又は、情報サービスシステム１がの所在であるタブレットコンピュータ、ｉＰａｄの内の１つの処理装置（図示せず）と対応して動作する。データベース３はＡｎｄｒｏｉｄ携帯電話、ｉＰｈｏｎｅ携帯電話、タブレットコンピュータ、ｉＰａｄの内の１つの保存モジュール（図示せず）にある。前記保存モジュールは携帯電話のメモリーモジュール、ｉＰｈｏｎｅ携帯電話のメモリーモジュール、タブレットコンピュータのメモリーモジュール、及びｉＰａｄのメモリーモジュールの内の１つである。
【００５０】
また、実際に実行する場合、ユーザー９が操作する電子装置はＡｎｄｒｏｉｄ携帯電話、ｉＰｈｏｎｅ携帯電話、タブレットコンピュータ、ｉＰａｄの内の１つであり、及び／又は情報サービスシステム１がＡｎｄｒｏｉｄ携帯電話、ｉＰｈｏｎｅ携帯電話、タブレットコンピュータ、ｉＰａｄの内の１つにある。よって、第一画面６２及び第二画面７２はスマートフォンのアプリのインターフェース、ｉＰｈｏｎｅ携帯電話のアプリのインターフェース、タブレットコンピュータのアプリのインターフェース、ｉＰａｄのアプリのインターフェースの内の１つである。
【００５１】
図６は図５のような本発明の情報サービスシステムの他の実施の形態を使用し、情報サービス方法を行うフローチャートのステップを説明するフローチャートである。図６に示されるように、まず、ステップ３０１においてログインステップが行われ、携帯電話４のカメラレンズでＱＲコードが読み取られてユーザーインターフェース５２が起動される。ユーザー９が携帯電話４のカメラレンズを利用してＱＲコードを読み取った後に情報サービスモジュール２がデータベース３と対応して、携帯電話４のスクリーン４１上にユーザーインターフェース５２が提供され、ステップ３０２へと進む。
【００５２】
ステップ３０２においては、拡張現実ＡＲの起動ステップが行われ、パターン読み取り後に３Ｄ動画６２１を有する拡張現実ＡＲ画像６２０が出現し、ユーザーが３Ｄ動画６２１をクリックした後に３Ｄ動画６２１を有する拡張現実ＡＲ画像６２０にカード６２２が出現する。携帯電話４でパターン読み取り後、情報サービスモジュール２がデータベース３と対応して、携帯電話４のスクリーン４１上に３Ｄ動画６２１を有する拡張現実ＡＲ画像６２０の第一画面６２が提供され、ユーザーが３Ｄ動画６２１をクリックした後に３Ｄ動画６２１を有する拡張現実ＡＲ画像６２０にカード６２２が出現し、ステップ３０３へと進む。
【００５３】
ステップ３０３においては、情報処理／伝送ステップが行われる。情報サービスモジュール２がデータベース３と対応して、携帯電話４のスクリーン４１上に第二画面７２が提供され、第二画面７２のカード６２２中に元からある画像／テキストのコンテンツ以外にユーザーによりテキストボックスにテキスト情報６２２１が追加され、及び／又はリアルタイム写真やギャラリーから選出されたイメージ及び／又は個人的な写真及び／又はビデオ映像の情報６２２２が追加され、及び／又はユーザー９がカード６２２の背景６２３に対する処理を行うことにより、リアルタイム写真やギャラリーから選出されたイメージが追加され、及び／又は第二画面７２下方のカメラアイコンｉｃｏｎ７２１をクリックすることによりリアルタイムで全第二画面７２及び背景６２３が撮影され、及び／又は第二画面７２下方のビデオアイコンｉｃｏｎ７２２がクリックされることによりカード６２２とのインタラクティブなリアルタイム録画が実行され、処理済みのカード６２２を有する第二画面７２が情報サービスモジュール２による処理を経てデータベース３と対応して、携帯電話４にインストールされるｅ-ｍａｉｌ、ＬＩＮＥ、ＳＭＳ、Ｆａｃｅｂｏｏｋ、ＩＧ、ＹｏｕＴｕｂｅ等のリアルタイム通信ソフトウェアにより伝送される。
【００５４】
以上の実施の形態を総合すると、本発明に係る情報サービスシステム及びその方法は拡張現実ＡＲ情報サービス環境中で応用され、本発明に係る情報サービスシステムを利用して情報サービス方法を実行する場合、まず、ログインステップが行われ、電子装置のカメラレンズでＱＲコードの読み取り、及び／又はウェブサイトのログインパスワード（pin number）方式を利用し、ユーザーインターフェースが起動される。次に、拡張現実ＡＲの起動ステップが行われ、パターンの読み取り及び／又はウェブサイトにログイン後、３Ｄ動画を有する拡張現実ＡＲ画像が出現し、ユーザーが３Ｄ動画をクリックした後に３Ｄ動画を有する前記拡張現実ＡＲ画像にカード、創作品、映像作品等のマルチメディアファイルが出現する。次いで、情報処理／伝送ステップが行われ、マルチメディアファイル（例えば、カード、創作品、映像作品等）中に元からある画像／テキストのコンテンツ以外にテキスト情報及び／又はイメージ及び／又は個人的な写真及び／又はビデオ映像が追加され、及び／又はマルチメディアファイル（例えば、カード、創作品、映像作品等）の背景に対して処理が行われ、及び／又はマルチメディアファイルとのインタラクティブなリアルタイム録画が行われ、処理済みのマルチメディアファイル（例えば、カード、創作品、映像作品等）がリアルタイム通信ソフトウェアにより伝送される。本発明に係る情報サービスシステム及びその方法には以下の長所がある。
【００５５】
＜１＞  情報サービスシステム及びその方法が拡張現実ＡＲ情報サービス環境中で応用され、本発明に係る情報サービスシステムを利用して情報サービス方法を実行する場合、まず、ログインステップが行われ、電子装置のカメラレンズでＱＲコードの読み取り、及び／又はウェブサイトのログインパスワード（pin number）方式を利用し、ユーザーインターフェースが起動される。次に、拡張現実ＡＲのステップ操作が行われ、パターン読み取り後に３Ｄ動画を有する拡張現実ＡＲ画像が出現し、ユーザーが３Ｄ動画をクリックした後に３Ｄ動画を有する拡張現実ＡＲ画像にカード、創作品、映像作品等のマルチメディアファイルが出現する。次いで、情報処理／伝送ステップが行われ、マルチメディアファイル（例えば、カード、創作品、映像作品等）中に元からある画像／テキストのコンテンツ以外にテキスト情報及び／又はイメージ及び／又は個人的な写真及び／又はビデオ映像が追加され、及び／又はマルチメディアファイル（例えば、カード、創作品、映像作品等）の背景に対して処理が行われ、及び／又はマルチメディアファイルとのインタラクティブなリアルタイム録画が行われ、処理済みのマルチメディアファイル（例えば、カード、創作品、映像作品等）がリアルタイム通信ソフトウェアにより伝送される。
【００５６】
＜２＞  ユーザーがテキスト及び／又はイメージ及び／又はマルチメディアファイルを有する拡張現実ＡＲ画像に対して閲覧機能以外にも、テキスト情報及び／又はイメージ及び／又は個人的な写真及び／又はビデオ映像の追加、マルチメディアファイル（例えば、カード、創作品、映像作品等）の背景に対する処理、及び／又はマルチメディアファイル（例えば、カード、創作品、映像作品等）とのインタラクティブなリアルタイム録画、又は処理済みのマルチメディアファイル（例えば、カード、創作品、映像作品等）をリアルタイム通信ソフトウェアにより伝送する等の操作を実行可能になる。
【００５７】
上述の実施の形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００５８】
１        情報サービスシステム
２        情報サービスモジュール
３        データベース
４        携帯電話
９        ユーザー
４１      スクリーン
５１      ユーザーインターフェース
５２      ユーザーインターフェース
６１      第一画面
６２      第一画面
７１      第二画面
７２      第二画面
１０１    ステップ
１０２    ステップ
１０３    ステップ
２０１    ステップ
２０２    ステップ
２０３    ステップ
３０１    ステップ
３０２    ステップ  
３０３    ステップ
６１１    ３Ｄ動画
６１２    カード
６１３    背景
６２１    ３Ｄ動画
６２２    カード
６２３    背景
６１０    拡張現実ＡＲ画像
６２０    拡張現実ＡＲ画像
７１１    カメラアイコンｉｃｏｎ
７２１    カメラアイコンｉｃｏｎ
７２２    ビデオアイコンｉｃｏｎ
６１２１  テキスト情報
６１２２  情報
６２２１  テキスト情報
６２２２  情報
【図１】
2020052792.tif 000003
【図２】
2020052792.tif 000004
【図３】
2020052792.tif 000005
【図４】
2020052792.tif 000006
【図５】
2020052792.tif 000007
【図６】
2020052792.tif 000008